【事件の表示】
　特許第６１２９５５４号発明「フィルターロッド製造機」の特許異議申立事件について、次のとおり決定する。
【結　論】
　特許第６１２９５５４号の特許請求の範囲を訂正請求書に添付された訂正特許請求の範囲のとおり、訂正後の請求項〔１−８、１０〕、〔１１−１３〕について訂正することを認める。
　特許第６１２９５５４号の請求項１、２、５、１０、１１及び１３に係る特許を維持する。
　特許第６１２９５５４号の請求項１２に係る特許についての特許異議の申立てを却下する。
【理　由】
第１　手続の経緯
　特許第６１２９５５４号の請求項１〜１３に係る特許についての出願は、平成２９年４月２１日にその特許権の設定登録がされ、平成２９年５月１７日に特許掲載公報が発行された。本件特許異議の申立ての経緯は、次のとおりである。
　平成２９年１１月１６日　　：　特許異議申立人飯田進による請求項１、請求項２、請求項５及び請求項１０ないし請求項１３に係る特許に対する異議の申立て
　平成３０年　１月１６日付け：　取消理由通知
　　　　同年　４月１９日　　：　特許権者による意見書及び訂正請求書の提出
　　　　同年　６月２１日　　：　特許異議申立人による意見書の提出
第２　訂正の適否
１　訂正の内容
　平成３０年４月１９日の訂正請求（以下、「本件訂正請求」という。）による訂正（以下、「本件訂正」という。）の内容は以下のとおりである。
（１）訂正事項１（下線は訂正箇所を示す。）
　特許請求の範囲の請求項１に「前記回転自在の対象物移送部材は、対象物を該回転自在の対象物移送部材から前記舌部内に直接搬送して、その対象物が、前記舌部内を通過しているフィルタープラグ材内に挿入されるように配されており、
　前記カッターは、前記長尺のフィルターロッドを切断し、中に１つ以上の対象物を有するフィルターロッドセグメントを形成するように構成されている」と記載されている事項を、
　「前記回転自在の対象物移送部材は、対象物を該回転自在の対象物移送部材から前記舌部内に直接搬送して、その対象物が、前記舌部内を通過しているフィルタープラグ材内に挿入されるように配されており、
　
前記舌部において、該舌部内を通過している前記フィルタープラグ材に轍のような溝を開口するように構成されたプラフをさらに含み、対象物が前記溝に挿入され、
　前記カッターは、前記長尺のフィルターロッドを切断し、中に１つ以上の対象物を有するフィルターロッドセグメントを形成するように構成されている」と訂正する。
（２）訂正事項２
　特許請求の範囲の請求項３を削除する。
（３）訂正事項３（下線は訂正箇所を示す。）
　請求項４の「請求項３記載の」を「請求項
１または２
若しくは２または
若しくは２または４若しくは
若しくは２または４
（４）訂正事項４（下線は訂正箇所を示す。）
　特許請求の範囲の請求項１１に「対象物を回転自在の対象物移送部材から前記舌部内に直接搬送し、前記対象物を、前記舌部内を通過しているフィルタープラグ材内に挿入する工程と、
　前記ガーニチャーにおいて、包装された長尺のフィルターロッドを形成する工程と、」と記載されている事項を、
　「対象物を回転自在の対象物移送部材から前記舌部内に直接搬送し、前記対象物を、前記舌部内を通過しているフィルタープラグ材内に挿入する工程と、
　
前記舌部内を通過している前記フィルタープラグ材に轍のような溝を開口し、前記対象物を前記溝に挿入する工程と、
　
前記溝内に前記回転自在の対象物移送部材からの対象物を案内する工程と、
　前記ガーニチャーにおいて、包装された長尺のフィルターロッドを形成する工程と、」と訂正する。
（５）訂正事項５
　特許請求の範囲の請求項１２を削除する。
（６）訂正事項６（下線は訂正箇所を示す。）
　特許請求の範囲の請求項１３に「前記溝内に前記回転自在の対象物移送部材からの対象物を案内する工程をさらに含み、前記対象物を案内する工程が、前記舌部内を通過している前記フィルタープラグ材の移動方向に対して実質的に平行な方向に前記溝内に前記対象物を案内することを含むことを特徴とする請求項１２記載の方法」と記載されている事項を、
　「
前
１１
２　訂正の目的の適否、新規事項の有無、一群の請求項及び特許請求の範囲の拡張・変更の存否
（１）訂正事項１
　訂正事項１は、訂正前の請求項１の「舌部」について、訂正前の請求項３に記載された事項に基づき、より具体的に特定して限定するものであるから特許請求の範囲の減縮を目的とするものである。また、請求項１を直接又は間接に引用する訂正後の請求項２、４〜８、１０についても同様に特許請求の範囲を減縮するものである。
　そして、訂正事項１は上記のとおりの訂正であるから、願書に添付した明細書、特許請求の範囲又は図面に記載された範囲内でなされたものであり、新規事項の追加に該当せず、実質上特許請求の範囲を拡張し、又は変更するものでもない。
（２）訂正事項２
　訂正事項２は、訂正前の請求項３を削除するものであるから、特許請求の範囲の減縮を目的とするものであり、新規事項の追加に該当せず、実質上特許請求の範囲を拡張し、又は変更するものでもない。
（３）訂正事項３
　訂正前の請求項４は請求項３のみを引用していたところ、訂正事項１により請求項３の特定事項が請求項１に組み込まれ、訂正事項２により請求項３が削除されたことから、請求項１または２を引用するものとしたものであり、明瞭でない記載の釈明を目的とするものである。
　また、訂正前の請求項５、６及び１０は請求項３を引用するものであるところ、請求項３の削除に伴い、請求項５、６及び１０について請求項３を引用しないものに訂正するものであり、引用する請求項の一部を削除するものであるから、特許請求の範囲の減縮を目的とするものである。
　そして、訂正事項３は上記のとおりの訂正であるから、新規事項の追加に該当せず、実質上特許請求の範囲を拡張し、又は変更するものでもない。
（４）訂正事項４
　訂正事項４は、訂正前の請求項１１の「舌部」について、訂正前の請求項１２に記載された事項及び訂正前の請求項１３に記載された事項の一部に基づき、より具体的に特定して限定するものであるから特許請求の範囲の減縮を目的とするものである。
そして、訂正事項４は上記のとおりの訂正であるから、願書に添付した明細書、特許請求の範囲又は図面に記載された範囲内でなされたものであり、新規事項の追加に該当せず、実質上特許請求の範囲を拡張し、又は変更するものでもない。
（５）訂正事項５
　訂正事項５は、訂正前の請求項１２を削除するものであるから、特許請求の範囲の減縮を目的とするものであり、新規事項の追加に該当せず、実質上特許請求の範囲を拡張し、又は変更するものでもない。
（６）訂正事項６
　訂正前の請求項１３は請求項１２のみを引用していたところ、訂正事項４により、請求項１２の特定事項及び請求項１３の特定事項の一部が請求項１１に組み込まれたことから、請求項１３の当該特定事項を削除するとともに、請求項１１を引用するものとしたものであり、明瞭でない記載の釈明を目的とするものである。
　そして、訂正事項６は上記のとおりの訂正であるから、新規事項の追加に該当せず、実質上特許請求の範囲を拡張し、又は変更するものでもない。
（７）一群の請求項に係る訂正
　訂正事項１ないし３に係る訂正前の請求項１ないし８及び１０について、訂正前の請求項２ないし８及び１０は訂正前の請求項１を直接又は間接的に引用するものであるから、訂正事項１ないし３に係る請求項１ないし８及び１０は一群の請求項である。
　訂正事項４ないし６に係る訂正前の請求項１１ないし１３について、訂正前の請求項１２及び１３は訂正前の請求項１１を直接又は間接的に引用するものであるから、訂正事項４ないし６に係る請求項１１ないし１３は一群の請求項である。
３　独立特許要件について
（１）請求項１、２、５及び１０ないし１３
　特許異議の申立ては、訂正前の請求項１、２、５及び１０ないし１３に対してされているので、訂正後の請求項１、２、５及び１０ないし１３については、訂正を認める要件として、特許法１２０条の５第９項で準用する同法１２６条７項の規定が適用されない。
（２）請求項４及び６ないし８について
　他方、訂正後の請求項４及び６ないし８は、上記したとおり特許請求の範囲の減縮を目的とした訂正がされたものであるが、訂正前の請求項４及び６ないし８は特許異議の申立てがされていない請求項であるから、訂正後の請求項４及び６ないし８に係る発明は、特許出願の際、独立して特許を受けることができるものでなければならない（特許法１２０条の５第９項で準用する同法１２６条７項）ので、以下検討する。
　ア　訂正後の請求項４及び６ないし８について
　訂正後の請求項４及び６ないし８は訂正後の請求項１を引用するものであるところ、訂正後の請求項１に係る発明は、後記第３の【請求項１】に記載された事項により特定されるとおりのものである。
　そして、訂正後の請求項１に係る発明は、後記第３及び第４のとおり、取消理由通知に記載した取消理由及び特許異議申立書に記載した特許異議申立ての理由によって特許を受けることができないものではない。
　そうすると、訂正後の請求項４及び６ないし８に係る発明は、訂正後の請求項１を引用するものであって、訂正後の請求項１に係る発明の発明特定事項の全てを含むものであるから、訂正後の請求項１に係る発明と同様に、取消理由通知に記載した取消理由及び特許異議申立書に記載した特許異議申立ての理由によって特許を受けることができないものではない。
　また、他に訂正後の請求項４及び６ないし８に係る発明が特許を受けることができないとする理由はない。
　イ　まとめ
　したがって、訂正後の請求項４及び６ないし８に係る発明は特許出願の際独立して特許を受けることができるものである。
４　むすび
　以上のとおりであるから、本件訂正は特許法１２０条の５第２項ただし書１号及び３号に掲げる事項を目的とするものであり、同条９項において準用する同法１２６条５項ないし７項の規定に適合し、また、本件訂正請求は、同条４項に適合するので、本件訂正を認める。
第３　当審の判断
１　平成３０年１月１６日付け取消理由通知について
　当審において、平成３０年１月１６日付けで特許権者に通知した取消理由の要旨は次のとおりである。
（１）本件特許の請求項１、２、５及び１０ないし１２に係る発明は，その優先日前に頒布された後記甲第１ないし３号証及び甲第５ないし１２号証に記載の発明に基いて、当業者が容易に発明をすることができたものであるから、特許法２９条２項の規定により特許を受けることができないから、その発明に係る特許は取り消すべきものである。
（２）本件特許の請求項１、２、１１及び１２に係る発明は，その優先日前に頒布された後記甲第３号証に記載された発明であり、特許法２９条１項３号の規定により特許を受けることができないから、その発明に係る特許は取り消すべきものである。
（３）請求項１、２、５及び１０ないし１２に係る発明は，その優先日前の外国語特許出願（特許法第１８４条の４第３項の規定により取り下げられたものとみなされたものを除く。）であって，その出願後に国際公開がされたＰＣＴ／ＥＰ２００９／０６５１０７（甲第４号証参照。）に係る外国語特許出願の国際出願日における国際出願の明細書，請求の範囲又は図面（以下「明細書等」という。）に記載された発明と同一であり，しかも，この出願の発明者がその出願前の外国語特許出願に係る上記の発明をした者と同一ではなく，またこの出願の時において，その出願人が上記外国語特許出願の出願人と同一でもないので，特許法第２９条の２の規定により特許を受けることができないから（同法第１８４条の１３参照），取り消されるべきものである。
　甲第１号証　　特表２００７−５０４８２４号公報
　甲第２号証　　特公昭５７−１２２６号公報
　甲第３号証　　特公昭５１−４７７９９号公報
　甲第４号証　　特表２０１２−５０８５７０号公報
　甲第５号証　　特公昭５５−２９６７６号公報
　甲第６号証　　特公平２−４０３１１号公報
　甲第７号証　　特開平１１−２２１０６８号公報
　甲第８号証　　特開昭６３−２９１５６７号公報
　甲第９号証　　特表２００２−５３７７８９号公報
　甲第１０号証　米国特許第５３３１９７６号明細書
　甲第１１号証　特開平８−２２８７５１号公報
　甲第１２号証　国際公開第２００８／１５４５３９号
　甲第１３号証　国際公開第２００７／０３８０５３号
２　本件特許に係る発明
　本件訂正は認容されるので、本件特許の請求項１、２、５、１０、１１及び１３係る発明（以下「本件発明１」などといい、総称して「本件発明」という。）は、本件訂正に係る訂正特許請求の範囲の請求項１、２、５、１０、１１及び１３に記載された事項により特定される次のとおりのものである。
　「【請求項１】
　喫煙品の製造に使用するためのフィルターロッド製造機であって、この製造機は、舌部を含むガーニチャーと、回転自在の対象物移送部材と、カッターとを含み、
　前記ガーニチャーは、フィルタープラグ材およびフィルター包装材を受け、包装された長尺のフィルターロッドを形成するように構成されており、
　さらに前記ガーニチャーに含まれる前記舌部は、その内部に、前記フィルタープラグ材、前記フィルター包装材、およびガーニチャーテープが、それぞれ、前記フィルタープラグ材が前記フィルター包装材の上に接触して位置し、また、前記フィルター包装材が前記ガーニチャーテープの上に接触して位置するように引き込まれるように構成されており、さらに前記舌部は、前記フィルタープラグ材が該舌部内を通過する際に該フィルタープラグ材を圧縮するように構成されており、
　前記回転自在の対象物移送部材は、対象物を該回転自在の対象物移送部材から前記舌部内に直接搬送して、その対象物が、前記舌部内を通過しているフィルタープラグ材内に挿入されるように配されており、
　前記舌部において、該舌部内を通過している前記フィルタープラグ材に轍のような溝を開口するように構成されたプラフをさらに含み、対象物が前記溝に挿入され、　
　前記カッターは、前記長尺のフィルターロッドを切断し、中に１つ以上の対象物を有するフィルターロッドセグメントを形成するように構成されている、製造機。」
　「【請求項２】
　前記回転自在の対象物移送部材が、前記舌部内に入り込んで、各対象物が前記舌部の内側の出口ポイントで移送部材から出るようにすることを特徴とする請求項１記載の装置。」
　「【請求項５】
　前記フィルタープラグ材が前記ガーニチャーに入る前に前記フィルタープラグ材を圧縮するように構成された押し込み噴射部をさらに含むことを特徴とする請求項１若しくは２または４いずれか１項記載の製造機。」
　「【請求項１０】
　前記対象物が脆弱な流体含有カプセルであることを特徴とする請求項１若しくは２または４乃至９いずれか１項記載の製造機。」
　「【請求項１１】
　喫煙品の製造に使用するためのフィルターロッドの製造方法であって、該方法は、
　フィルターロッド製造機のガーニチャーがフィルタープラグ材およびフィルター包装材を受ける工程と、
　前記ガーニチャーに含まれる舌部内に、前記フィルタープラグ材、前記フィルター包装材、およびガーニチャーテープを、それぞれ、前記フィルタープラグ材が前記フィルター包装材の上に接触して位置し、また、前記フィルター包装材がガーニチャーテープの上に接触して位置するように引き込む工程と、
　前記フィルタープラグ材が前記舌部内を通過する際に該フィルタープラグ材を圧縮する工程と、
　対象物を回転自在の対象物移送部材から前記舌部内に直接搬送し、前記対象物を、前記舌部内を通過しているフィルタープラグ材内に挿入する工程と、
　前記舌部内を通過している前記フィルタープラグ材に轍のような溝を開口し、前記対象物を前記溝に挿入する工程と、　
　前記溝内に前記回転自在の対象物移送部材からの対象物を案内する工程と、　
　前記ガーニチャーにおいて、包装された長尺のフィルターロッドを形成する工程と、
　この長尺のフィルターロッドをフィルターロッドセグメントに切断し、各セグメントがその中に１つ以上の対象物を有するようにする工程とを含む方法。」
　「【請求項１３】
　前記対象物を案内する工程が、前記舌部内を通過している前記フィルタープラグ材の移動方向に対して実質的に平行な方向に前記溝内に前記対象物を案内することを含むことを特徴とする請求項１１記載の方法。」
３　甲各号証の記載について
　訂正後の本件発明１は、特許異議の申立てがされてない訂正前の請求項３に係る発明の発明特定事項を全て含むものである。
　そして、訂正前の請求項３は「【請求項３】前記舌部において、該舌部内を通過している前記フィルタープラグ材に轍のような溝を開口するように構成されたプラフをさらに含み、対象物が前記溝に挿入されることを特徴とする請求項１または２記載の装置。」であり、該請求項３に係る発明特定事項の一部である「フィルタープラグ材に轍のような溝を開口する」という事項については、特許異議の申立てがされている訂正前の請求項１２の「【請求項１２】前記舌部内を通過している前記フィルタープラグ材に轍のような溝を開口する工程をさらに含み、前記対象物が前記溝に挿入されることを特徴とする請求項１１記載の方法。」と発明特定事項が共通するものである。
　この点、甲第１号証ないし甲第３号証の中で、「フィルタープラグ材に轍のような溝を開口する」ための手段についての記載が認められるものは、後記するように甲第３号証である。
　他方、他の甲号証については、次のとおりである。
　甲第４号証（及び甲第１３号証）については、特許法２９条１項３号又は２９条２項に係る証拠である甲第１号証ないし甲第３号証とは異なり、特許法２９条の２に係る証拠である。
　甲第５号証ないし甲第７号証は、フィルタープラグ材、フィルター包装材、及びガーニチャーテープを、舌部の内部に引き込むようにすることは周知（以下「周知技術１」という。）であることの例として引用する文献であるが、周知技術１に係る構成は後記するとおり、甲第３号証に記載されている。
　甲第８号証ないし甲第１０号証は、フィルタトウを舌部に押し込むための押し込み噴射部が周知（以下「周知技術２」という。）であることの例として引用する文献であるが、周知技術２は、本件発明５（請求項５）に関係するものである。
　甲第１１号証及び甲第１２号証は、流体含有カプセルをフィルターロッドに挿入することが周知（以下「周知技術３」という。）であることの例として引用する文献であるが、周知技術３は、本件発明１０（請求項１０）に対応するものである。
　以上から、事案に鑑み、甲第３号証及び甲第４号証の記載から述べることとする。
（１）甲第３号証：特公昭５１−４７７９９号公報
　ア　甲第３号証の記載
　甲第３号証（以下「甲３」という。）には、次の事項が記載されている。
　（ア）「特許請求の範囲
１　粒状物質からなる添加物を含むタバコ用フィルターを製造するに当り、細長いフイルター材を軸方向に連続的に供給しつつそのフイルター材を拡げてＵ字形に成形し、一方、周囲に決められた間隔ごとに決められた寸法のポケツトを有する車輪をその外周の速度がフイルター材の移動速度と同調するように回転せしめ、ポケツトが上部にある時にホツパーより添加物を受け取り、ポケツトが下に来た時に吸引力の補助により重力で決められた量の添加物を上記フイルターのＵ字形の底に決められた一定距離間隔ごとに連続して添加させた後そのフイルター材を被覆で包み丸棒状となし、切断された一単位ごとに少なくとも一定量の添加物が含まれた丸棒状のフイルター材を得られるようにこれを切断した粒状物質を含むマルチ・フイルターの製造方法。」（１欄２１〜３７行）
　（イ）「発明の詳細な説明
　この発明は紙巻きタバコのフイルターとして用いられる粒状物質を含むマルチ・フイルターの製造方法に関するものである。・・・
　この発明の目的はこのような従来の粒状物質を含むマルチ・フイルター製造方法の添加物が移動しやすいことあるいはそれを防ぐと製造工程が複雑になり製造費が掛るという欠点を除去し、さらに添加物が飛び散ることなどによる工場の汚染が少なく、正確な量の添加物を添加でき、しかも実用的な、粒状物質を含むマルチ・フイルターの製造方法を供することにある。」（２欄１〜３２行）
　（ウ）「以下図面によつて本発明の詳細を説明すると第１図において本発明の方法による装置１０は粒状の物質を断続的に含むマルチ・フイルター棒を製造し、これを適当な長さに切断するものである。」（２欄３３〜３６行）
　（エ）「フイルター物質１４は細長い棒状であり、通常の保存用入れ物などから軸方向に連続的に供給され、通常のフイルター製造に用いられるフィルター拡げ装置２０で拡げられ、拡げられたフイルター物質２２はトリアセトンなどの固化剤を固化剤添加装置２４で添加される。
　さらにフイルター物質２２は駆動ロール２６及びロール２８によつてトランぺツト３２へと供給される。トランぺツト３２は拡げられたフイルター物質２２をＵ字形にして添加物１８を受け入れやすくするためのものである。
　Ｕ字形にされたフイルター物質２２は、供給ロール３８から供される紙製の被覆３６とともにベルト４０により添加装置３４へと送られる。」（３欄８〜２１行）
　（オ）「添加装置３４の詳細を第４図および第６図に示す。添加装置３４はあらかじめ決めた量の添加物１８をＵ字形にされたフイルター物質２２の底部に適当な間隔ごとに連続的に添加するための装置である。車輪４６の周囲に決められた間隔ごとに設けられた寸法のポケツト４４へホツパー４２から重力によつて添加物１８が供給される。添加物１８の供給が確実に行なわれるように車輪４６の内側から吸引力を加えてもよい。ポケツト４４が添加物１８によつて満されてから後添加物１８の入つたポケツト４４が一番下に来てＵ字形のフイルター物質２２に重力により添加するまでの間は車輪４６の回転中に添加物１８がこぼれないよう、保持板４８が車輪４６の外周に設けられている。フイルター物質２２に添加を行なう位置すなわち車輪４６の一番下側の位置では添加を確実にするために下から真空装置５０で吸引してもよい。被覆３６およびフイルター物質２２の運動と同調させるため車輪３６の外周の速度はベルト４０の速度と同じで連続的に回転することが望ましい。」（３欄２２〜４１行）
　（カ）「あらかじめ決めた間隔ごとに決められた量の添加物１８を添加されたフイルター物質２２は被覆３６とともに添加装置３４を出ると直ちに仕上げ装置５２へ送られる。仕上げ装置５２ではのり付け装置５４で被覆３６のふちにのりを付け、折り機５５でフイルター物質２２が添加物１８を包んで円柱形となるように丸めて被覆３６をのり付けする。被覆３６に円周部を包まれたフイルター物質２２はヒーター５６を通り、切断装置５８により第２図に示されるように、切断された一単位ごとに少なくとも一個の添加物１８が入るように切断される。」（３欄４２行〜４欄９行）
　（キ）「なお実施例では１種類の添加物を完成されたマルチ・フイルターの一単位に１つづつ含む場合について図示したが、実用に際しては２種類以上の添加物を加えることも、完成されたマルチ・フイルターの一単位ごとに２つ以上の添加物のポケツトを有するフイルターを製造することも可能である。」（４欄２１〜２７行）
　（ク）第４図並びに第４図の断面図である第６及び７図について
　　ａ　上記記載（オ）及び第４図の記載を参照すると、添加物１８は、車輪３６が回転しポケット４４が一番下に来て、重力によりフィルター物質２２に添加されるのであり、添加物１８が添加される場所を含み、フィルター物質２２が進行する下流にかけて、点線及び実線で示された部材（以下「部材Ａ」という。）が仕上げ装置５２の上方に位置するものであることが理解できる。
　　ｂ　第４図の６−６断面図である第６図の記載から、添加物１８が添加される場所において、部材Ａが、内側屈曲部を上部に有する一対の壁を有するものであることが看取でき、第４図の７−７断面図である第７図の記載から、部材Ａが、上記添加される場所の下流において、フィルター物質２２を覆うカバーを上部に有することが看取できる。
　　ｃ　上記部材Ａの図示位置に加え、上記（エ）の「Ｕ字形にされたフイルター物質２２は、供給ロール３８から供される紙製の被覆３６とともにベルト４０により添加装置３４へと送られる。」という記載、上記（オ）の「被覆３６およびフイルター物質２２の運動と同調させるため車輪３６の外周の速度はベルト４０の速度と同じで連続的に回転することが望ましい。」という記載、並びに第４図、第６図及び第７図の記載から、フィルター物質２２、紙製の被覆３６、及びベルト４０が、それぞれ、フィルター物質２２が紙製の被覆３６の上に接触して位置し、また、紙製の被覆３６がベルト４０の上に接触して位置するように、部材Ａの内部に引き込まれることが理解できる。
　（ケ）第４図並びに第４図の断面図である第５図について
　上記（エ）の「トランぺツト３２は拡げられたフイルター物質２２をＵ字形にして添加物１８を受け入れやすくするためのものである。Ｕ字形にされたフイルター物質２２は、供給ロール３８から供される紙製の被覆３６とともにベルト４０により添加装置３４へと送られる。」という記載に基づき、第４及び５図を参照すると、両図面のトランペット３２には、フィルター物質２２をＵ字形にするためのリブが看取できる。
　（コ）上記（カ）及び（ケ）に加え、第６図に記載された断面態様から、車輪４６の一番下側の位置で添加物１８を添加する際に、車輪４６の縁部は部材Ａの中に入り、縁部はフィルター物質２２に接触していることが看取できる。
「
　　　」
「
　　　」
「
　　　」
「
　　　」
　イ　甲３発明
　上記記載事項から、甲３には次の発明（以下「甲３発明」という。）が記載されている。
　「紙巻タバコのフィルターとして用いられるマルチ・フィルターの製造装置であって、この製造装置は、
　内側屈曲部を上部に有する一対の壁とその下流側の上部に設けられたカバーとを有する部材Ａを備えた仕上げ装置５２と、車輪４６と、切断装置５８とを含み、
　仕上げ装置５２は、フィルター物質２２及び紙製の被覆３６を受け、包装されたフィルター棒１２を形成するように構成されており、
　仕上げ装置５２の上方に位置する部材Ａは、その内部に、フィルター物質２２、紙製の被覆３６、及びベルト４０が、それぞれ、フィルター物質２２が紙製の被覆３６の上に接触して位置し、また、紙製の被覆３６がベルト４０の上に接触して位置するように引き込まれるように構成されており、
　さらに部材Ａは、フィルター物質２２が部材Ａを構成する一対の壁内を、側方及び上方にて接触するとともに、その下流側の上部に設けられたカバーに接触して通過するように構成されており、
　トランペット３２のリブは拡げられたフィルター物質２２をＵ字形にし、車輪４６は、添加物１８の入ったポケット４４が一番下に来て、Ｕ字形にされたフィルター物質２２に重力により添加物１８を添加し、添加物１８を添加する際に車輪４６の縁部は部材Ａの中に入り、縁部はフィルター物質２２に接触しており、
　切断装置５８は、フィルター棒１２を切断し、中に１つ以上の添加物１８を有するフィルター棒１２の一単位を形成するように構成されている製造装置。」
　ウ　甲３方法発明
　上記記載事項から、甲３には次の発明（以下「甲３方法発明」という。）が記載されている。
　「紙巻タバコのフィルターとして用いられるマルチ・フィルターの製造方法であって、該方法は、
　マルチ・フィルターの製造装置の仕上げ装置５２がフィルター物質２２及び紙製の被覆３６を受ける工程と、
　仕上げ装置５２の上方に位置する部材Ａ内に、フィルター物質２２、紙製の被覆３６、及びベルト４０を、それぞれ、フィルター物質２２が紙製の被覆３６の上に接触して位置し、また、紙製の被覆３６がベルト４０の上に接触して位置するように引き込む工程と、
　フィルター物質２２が部材Ａを構成する一対の壁内に側方及び上方にて接触するとともに、その下流側の上部に設けられたカバーに接触して通過する工程と、
　トランペット３２のリブは拡げられたフィルター物質２２をＵ字形にし、車輪４６は、添加物１８の入ったポケット４４が一番下に来て、Ｕ字形にされたフィルター物質２２に重力により添加物１８を添加し、添加物１８を添加する際に車輪４６の縁部は部材Ａの中に入り、縁部はフィルター物質２２に接触する工程と、
　仕上げ装置５２において、被覆３６に縁周部を包まれたフィルター物質２２からなるフィルター棒１２を形成する工程と、
　フィルター棒１２を切断された一単位ごとに１つ以上の添加物１８が入るように切断する工程とを含む方法。」
（２）甲第４号証：特表２０１２−５０８５７０号公報
　ア　甲第４号証の記載
　先願明細書の訳文に係る甲第４号証（以下「甲４」という。）には、次の事項が記載されている。
　（ア）「【請求項１】
　喫煙物品内に物体（４）を導入する方法であって、
　喫煙物品内に導入される物体（４）を保持するためのリザーバ（１０；２０；３０）を準備する段階と、
　前記物体（４）を該物体（４）が単一の垂直に配置された層に整列するように配置された移送チャンバ（１１；２１；３１）内に導入する段階と、
　前記移送チャンバ（１１；２１；３１）に隣接して配置された回転可能ホイール（１２；２２；３２）内の前記物体（４）を該物体が前記喫煙物品内に導入されることになる位置まで送出する段階と、
　前記物体を前記移送チャンバ（１１；２１；３１）における前記単一の垂直に配置された層から前記回転可能ホイール（１２；２２；３２）の周囲面に向うか又はそれに沿った方向に移動する段階と、
　を含むことを特徴とする方法。」
　（イ）「【請求項４】
　物体（４）を喫煙物品内に導入するための装置（１；２；３）であって、
　喫煙物品内に導入される複数の物体（４）を供給するためのリザーバ（１０；２０；３０）と、
　前記物体（４）を該物体が前記喫煙物品内に導入されることになる位置まで送出するための回転可能ホイール（１２；２２；３２）と、
　前記複数の物体（４）を前記回転可能ホイール（１２；２２；３２）まで移送するために、前記リザーバ（１０；２０；３０）と該回転可能ホイール（１２；２２；３２）の間に配置され、かつ該物体（４）が単一の垂直方向に配置された層に整列するように設計された移送チャンバ（１１；２１；３１）と、
　前記物体（４）を前記移送チャンバ（１１；２１；３１）における前記単一の垂直に配置された層から前記回転可能ホイール（１２；２２；３２）の周囲面に向うか又はそれに沿った方向に移動するための手段（１１１、１２１；２１１、２２１；３１１、３１６）と、
　を含むことを特徴とする装置。」
　（ウ）「【０００９】
　本発明により、喫煙物品内に物体を導入するための装置を提供する。以下の明細には喫煙物品のフィルタ材料内に物体が挿入される実施形態だけが説明されているが、本発明はまた、喫煙物品の他の部分、例えば、喫煙物品のタバコロッド内又は空洞内に物体が挿入される場合を含む。本発明による装置は、喫煙物品内に導入される複数の物体を供給するためのリザーバと、物体が喫煙物品内に導入されることになる位置まで物体を送出するための回転可能ホイールと、リザーバと回転可能ホイールの間に配置され、かつ物体が単一の垂直方向に配置された層に整列するように設計された回転可能ホイールまで物体を移送するための移送チャンバと、回転可能ホイールの周囲面に向うか又はそれに沿った方向に移送チャンバ内で単一の垂直に配置された層から物体を移動するための手段とを含む。単一の層から物体を移動するためのこれらの手段は、重力による物体の移動に追加される移動を引き起こす。【００１０】
　回転可能ホイールの周囲面に向うか又はそれに沿った方向に物体を移動するための手段により、装置は、高速で作動させることができ、同時に、物体は、それらが保持され、かつ一般的に喫煙物品内に、特にフィルタ材料内にそれらが導入される位置まで送出される回転可能ホイールの個々のポケット内に確実に装填することができる。一例として、物体は、ビーズ、カプセル、又はペレットとすることができるが、それらはまた、あらゆる他の適切な種類とすることができる。例えば、物体は、シガレット煙の感覚的属性を強化することができる。特に、それらは、主流煙に香味を追加するための媒体として使用することができる。」
　（エ）「【発明を実施するための形態】
【００２３】
　フィルタロッドの生産は、当業技術で公知であり、例えば、ドイツのハンブルグ所在の「Ｈａｕｎｉ−Ｗｅｒｋｅ  Ｋｏｂｅｒ  ＆  Ｃｏ，」  から市販されているＫＧＫＤＦ２−ＡＦ２ユニットのような市販のフィルタ製造機械を用いて実施することができる。そのような機械を用いて、後に単一のフィルタ要素に切断されるフィルタロッドを製造することができる。そのような装置は、フィルタ材料の連続長の範囲内で、所定間隔でフィルタ材料内への物体の導入を可能にするように修正することができることも公知である。」
　（オ）「【００３３】
　・・・図９は、ポケット２２０内に保持されたビーズ４の形態の物体を含む回転可能ホイール２２のポケット２２０の大きく拡大した図である。溝２２７は、ビーズ４がフィルタ材料内に導入されることになる位置の直前でスクレーパ２３の先端２３０が溝に入るように十分に深いことが分る（図１２参照）。
【００３４】
　そのようなスクレーパ２３の一実施形態が、ポケット２２０から物体を放出し、かつフィルタ材料内の望ましい位置まで物体を案内するための先端２３０と傾斜面２３１とを有して図８に示されている。これを以下でより詳細に説明する。
【００３５】
　図１０は、案内錐体１７を示し、それを通して、物体が挿入されることになるフィルタ材料が案内される。一例として、３．５ｍｍの直径を有するビーズの場合、案内錐体１７の内径は、７ｍｍから２１ｍｍの範囲とし、特にビーズがフィルタ材料内に挿入される位置では１３ｍｍとすることができる。案内錐体１７は、案内錐体１７の縦方向に延びる開口部１７０を有する。案内錐体１７の下流には、案内錐体１７を通過させた後にフィルタ材料の更なる圧縮を担う舌状体１５を配置することができる。案内錐体１７は、縦方向に延びるスリット１７０を除いてほぼ従来通りである。
【００３６】
　図１１及び１２は、回転可能ホイールの案内錐体の開口部内への貫通を示す側面図及び断面図である。図１１から、回転可能ホイール２２は、案内錐体１７を通って案内されたフィルタ材料内に物体を導入することができるように、開口部１７０を通って錐体１７内に貫通することが分る。上述のように、一例として、３．５ｍｍの直径を有するビーズの場合、案内錐体１７の内径は、７ｍｍから２１ｍｍの範囲とし、ビーズがフィルタ材料内に挿入される位置では特に１３ｍｍとすることができる。ビーズは、案内錐体の底面から測定された高さで約５．５ｍｍの位置に挿入することができる。しかし、これらの値が適切な範囲内で変わり得ることは明らかである。従って、ホイールの中心部の高さは、ビーズが最適位置でフィルタ材料内に挿入されるように移送ホイールを精密に配置するために調節することができる。図１２から、回転可能ホイール２２の周囲面２２４の周囲全体に沿って延びる溝２２７内にスクレーパ２３が配置されることが分る。チャンネル２２５を通して印加された吸引を用いてそこにビーズ４が保持されたポケットがスクレーパ２３の先端２３０に到達した状態で、チャンネル２２５を通して印加された吸引は、スクレーパの存在によって中断又は少なくとも大きく減らされる。回転可能ホイール２２の更なる回転は、ビーズ４がフィルタ材料内のその最終位置に到達するまでスクレーパの傾斜面２３１に沿ってビーズを案内させ、この位置は、ビーズ４の最下部位置として図１２に示されている。案内錐体１７を通って流れるフィルタ材料は、次に、それと共にビーズ４を搬送し、かつ錐体１７の直ぐ下流で、導入されたビーズ４を有するフィルタ材料は、舌状体１５内で更に圧縮され、それによってビーズ４が最終的にフィルタ材料内の望ましい位置に確実に固定される。ビーズを所定の離間した関係で含有するフィルタ材料のそのように形成されたロッドは、次に、上述のように更に処理することができる。」
　（カ）段落【００３５】には「案内錐体１７の下流には、案内錐体１７を通過させた後にフィルタ材料の更なる圧縮を担う舌状体１５を配置することができる。」と記載されているから、フィルタ材料は、舌状体１５に加えて、案内錐体１７においても圧縮されているといえる。
　（キ）図１１から、舌状体１５及び案内錐体１７は装置の台に取り付けられていることが理解できる。
「
」
イ　甲４発明
　上記記載事項から、甲４には次の発明（以下「甲４発明」という。）が記載されている。
　「喫煙物品の製造に使用するためのＫＧＫＤＦ２−ＡＦ２ユニットのような市販のフィルタ製造機械を用いて実施されるフィルタロッド製造装置であって、この製造装置は、案内錐体１７及び舌状体１５を取り付ける台と、回転可能ホイール２２と、切断部とを含み、
　台に取り付けられる案内錐体１７及び舌状体１５は、フィルタ材料が案内錐体１７及び舌状体１５内を通過する際にフィルタ材料を圧縮するように構成されており、
　回転可能ホイール２２は、案内錐体１７の開口部１７０を通って該案内錐体１７内に貫通し、ホイールの中心部の高さは、ビーズが最適位置でフィルタ材料内に挿入されるように配置されており、ホイールは案内錐体１７を通って案内されたフィルタ材料内にビーズを導入し、
　切断部は、単一のフィルタ要素に切断して、中にビーズを有するフィルタロッドを製造するフィルタロッド製造装置。」
　イ　甲４方法発明
　上記記載事項から、甲４には次の発明（以下「甲４方法発明」という。）が記載されている。
　「喫煙物品の製造に使用するためのＫＧＫＤＦ２−ＡＦ２ユニットのような市販のフィルタ製造機械を用いて実施されるフィルタロッド製造方法であって、該方法は、
　台に取り付けられる案内錐体１７及び舌状体１５は、フィルタ材料が案内錐体１７及び舌状体１５内を通過する際にフィルタ材料を圧縮する工程と、
　回転可能ホイール２２は、案内錐体１７の開口部１７０を通って該案内錐体１７内に貫通し、ホイールの中心部の高さは、ビーズが最適位置でフィルタ材料内に挿入されるように配置されており、ホイールは案内錐体１７を通って案内されたフィルタ材料内にビーズを導入する工程と、
　ホイールのポケットからビーズを放出し、かつフィルタ材料内の望ましい位置までビーズを案内する工程と、
　切断部は、単一のフィルタ要素に切断して、中にビーズを有するフィルタロッドを製造する工程とを含むフィルタロッド製造方法。」
（３）甲第１号証：特表２００７−５０４８２４号公報
　甲第１号証（以下「甲１」という。）には、次の事項が記載されている。
　「【発明が解決しようとする課題】
【００１１】
　本発明は、各ロッドがその長手にわたって所定の間隔で個別に離間されている対象物を有する、喫煙アーティクルの製造に使用される複数のロッドを提供する装置および方法を提供する。」
　「【００１６】
　図１を参照すると、例示的なロッド形成装置１０は、ロッド形成ユニット１２と、連続的な長さのフィルタ材料１６において所定の間隔で対象物を配置するカプセル挿入ユニット１４とを含む。連続的な長さのフィルタ材料は、保管ベール、糸巻き等のようなソース（図示せず）から供給される。一般的に、フィルタ材料は、フィルタ材料処理ユニット１８を用いて処理される。対象物が所定の離間された間隔で中に組み込まれている連続的な長さのフィルタ材料１６は、ロッド形成ユニット１２を通過することで連続的なロッド２０が形成され、切断手段２２によって複数のロッド２４に細分化され、トレイ２６または他の好適な収集手段を用いて収集される。切断手段２２は、対象物またはカプセルが個々のロッド２４に正しく位置決めされるよう正確な場所で連続的なロッド２０を切断するために、ビデオ検査ユニット等のカプセル検査手段２８と同期される。」
　「【００２２】
　図１を再び参照すると、連続的な長さのフィルタ材料１６はロッド形成ユニット１２の作用によりブロック３０中を引っ張られ、個々のカプセルがフィルタ材料のウェブ内で所定の間隔で挿入される。フィルタ材料はロッド形成ユニット１２の集積手段３２に更に方向付けられる。・・・
【００２３】
　円筒形の混合物に圧縮されたフィルタ材料は、ロッド形成ユニット１２で受容される。円筒形の混合物は、エンドレスガルニチュールコンベヤベルト３６または他のガルニチュール手段を含むラッピング機構３４に送られる。ガルニチュールコンベヤベルト３６は、円筒形の混合物をラッピング機構３４に移送するようリボンホイールまたは協働ドラム等の前進機構３８を用いて、連続的に且つ長手方向に前進させられる。ラッピング機構は、連続的なラッピングされたロッド２０を生産するために、円筒形の混合物の外表面に細長いラッピング材料４０を供給する。
【００２４】
　細長いラッピング材料４０は、回転可能な糸巻き４２から供給される。ラッピング材料は、糸巻きから引き出され、一連の案内ローラ上でならされ、ブロック３０の下を通過し、ロッド形成ユニットのラッピング機構３４に入る。エンドレスガルニチュールコンベヤベルト３６は、ラッピング材料で円筒形の混合物の周りを覆いながらまたは包みながら、細長いラッピング材料と円筒形の混合物の両方が、ラッピング機構３４中を長手方向に延在するように移送する。」
　「【００２８】
　カプセル挿入ユニット１４は、レジャー筺体５０内において定位置で任意に保持されるホイールの形状を有する、回転可能な部材４８を含む。カプセル挿入ユニットは、更に、一実施形態では挿入ホイールとも称される回転可能な部材４８にカプセルを供給またはその通路を提供する、ホッパ５２および／または他の移送手段５４を含む。一実施形態では、回転可能な部材４８は、ロッド形成装置１０の主駆動組立体と結合されるプーリ５６およびベルト５８によって駆動される。」
　「【００３１】
　・・・以下に説明するように、挿入ホイール７４が回転すると、ポケット７５内で保持されるカプセルはブロック３０内のフィルタ材料１６と接触し、カプセルはポケットから集められたフィルタ材料へと放出される。」
　「【００４５】
　レッジャ（ｌｅｄｇｅｒ）筺体５０（図１および図１２）は、ホイール７４の周面上に縁として位置決めされ、ホイールがその中で回転自在であるようにホイールから離間されている。図１２を参照すると、レッジャ筺体は、ホイール７４の周囲にわたる連続的なポケットにカプセルを導入した後にホイールを収容する（詳細に上述したとおり）。レッジャ筺体は、カプセルがポケット７６から便利に除去され、フィルタ材料に位置決めされる領域の近傍までホイール７４の周面上を延在する（詳細に上述したとおり）。」
　「【００４８】
　図１２を参照すると、フィルタ材料１６の連続的なウェブは、案内部またはブロック３０（部分的に切り取られて図示される）に供給される。案内部３０は、幅広いフィルタ材料を受容し、ウェブを段々に混合物にし、円筒形の混合物に略類似させる。レッジャ筺体のプラウ１７６は、カプセル３００がフィルタ材料のウェブ内の所望の場所に位置決めされる、または、配置されるように、フィルタ材料を分離または広げる。トウがプラウの最端部分に到達すると、トウの動きは、内部の所望の場所に個々のカプセルを含む円筒形の混合物になるようにトウ自体を閉じるよう作用する。好適なプラウは約０．２５インチの最大深さを有することが好ましい。
【００４９】
　カプセルは、レッジャ筺体がホイールを縁として覆わない場所までポケット内で保持され、この時点でカプセルは上述の通り軸受筺体１３８を介した空気の放出の補助により、フィルタ材料のウェブに挿入される。このようにして、重力の作用が補助され、カプセルは選択されたポケットから所望の場所でフィルタ材料のウェブに強制的に送られる。」
　「【００５０】
　図１３を参照すると、案内部またはブロック３０（その上部分は部分的に切り取られて図示されている）は、フィルタ材料１６がその中に供給されるよう一端部が比較的広い開口部１７８を有する。好適な広い開口部は高さが約０．５インチで幅が約２．５インチである。好適なブロックは、長さが約５．５インチである。ブロックの中空の内部分の形状は、フィルタ材料が円筒形に実質的に類似する混合物に形成されるようにされている。好適な混合物は、直径が約９／１６インチである。特に、ブロック３０の内部分は、フィルタ材料が中を通れるよう中空の領域または空洞である。ブロックは、回転ホイールおよびレッジャ筺体（図示せず）がフィルタ材料のウェブに延在し、カプセル３００が所望の場所に挿入されるよう、その上部分に沿って長手方向に延在するスロット１８０を有する。好適なスロットは、約５．５インチの長さを有するブロックに対して約４インチの長さである。好適な状況において、プラウは、ブロックの中空の内部分の最底部分から約１／８インチ延在するようにスロットに延在する。円筒形の混合物１８２は、ロッド形成ユニット（以下に説明するように）の受容手段によって受容される。このようにして、一連のカプセル３００、３０２、および、３０４は、円筒形の混合物１８２内に所定の間隔でウェブに位置決めされ、トング（図示せず）等の集積手段へとブロック３０から出力される。同様のブロックは、参照により本明細書に組み込まれるＧｒｅｅｎらによる米国特許第４，８６２，９０５号明細書に記載される。」
（４）甲第２号証：特公昭５７−１２２６号公報
　甲第２号証（以下「甲２」という。）には、次の事項が記載されている。
　「第１図を参照するに、フイルタ製造機械１０はテーブル４３を有し、上記テーブル４３上には公知の仕上封止部４４が公知態様で取り付けられてホイール２７から送給されたトウ１２とチユーブ群１７を受容せしめる。図示の通り、テーブル４３はコンベアベルト４５を支持し、上記コンベアベルト４５は駆動ロール４６により駆動されて種々の案内ロール群４７上を通過し、巻紙１６、トウ１２、包まれたチユーブ１７を運搬せしめる。巻紙１６は時々交換可能な紙ロール４８から供給され、遊びロール４９と適当な案内ロール５０を介してフイルタ製造機械１０に運ばれる。図示するように、巻紙１６はチユーブ注入場所Ｓ近くの個所で仕上封止部に運ばれる。」（７欄２９−４２行）
　「第７図に示すように、スリーブ５１がチユーブ注入場所Ｓに設けられ、チユーブ群１７を受容するためにトウ１２を一定形状に形成せしめている。上記スリーブ５１はトウ１２をカバ３４に当接して保持するように配置され、しかもスリーブ５１はチユーブ群１７を受容する態様でトウ１２をカバ３４の周りに案内するような形状をしている。このため、図式的に示したスリーブ５１はその上面に沿つて割れており、上流に向かつて開いた円錐またはらつぱ形状部分を有してカバ３４の周りに適合し、しかもスリーブ５１はホイール２７の下で下流に向かつて開いた筒状部分を有し、上記筒状部分はチユーブ注入場所Ｓの上流個所まで延びている。スリーブ５１はホイール２７に対して調整可能に取り付けられ、トウ１２内にチューブ群１７を集中することができるようになつている。」（７欄４３行〜第８欄１４行）
　「ホイール２７の連続回回によりチユーブ１７は後方マンドレルに当接しながらチユーブ注入場所Ｓまで運搬される。この注入場所Ｓにおいて、凹所２８と組合わされた１対のプランジャ３９のうち前方プランジャ３９がローラカム４０により外方に移動し、チューブ１７の前端部をトウ１２内に押入せしめる。上記トウ１２はトウ供給装置１１により運ばれてスリーブ５１とカバ３４により一定形状に形成されている。ホイール２７の連続回転により後方プランジャ３９がローラカム４０の作用の下で外方に移動し、チユーブ１７を完全に放逐せしめる。その後直ちに、巻紙１６が巻紙供給装置１５から運ばれると共に、仕上封止部４４内でトウ１２と埋め込んだチューブ群１７の周りに上記巻紙１６が巻かれる。このようにしてフイルタロツド１８がトウ１２と連続して運ばれ一定間隔離れたチユーブ群１７から形成される（第８図）。」（第９欄１３−３０行）
　「フイルタ製造機械で製造した連続フイルタロツドは適当な公知態様で処理できる。例えば所定長のフイルタ群に切断した後にタバコ用の個々のフイルタ群に切断することにより処理できる。」（１０欄７−１０行）
（５）甲第５号証：特公昭５５−２９６７６号公報
　甲第５号証（以下「甲５」という。）には、次の事項が記載されている。
　「第１図において、装備ベツドは全体として符号１０を以て示されており、そしてベース板１１と下折曲要素１２とを有する。装備テープは符号１３を以て示されておりそして右側において装備ベツド１０に進入し、そしてプーリ１４上を通り、そして全体として符号１５を以て示されているトングに通されている。連続した巻紙ウエブは符号１６を以て示されており、そしてもう一つのプーリ１７上を通り、そして装備テープ１３の上方に沿つてトング１５に通されている。トウ処理装置から連続フイルタ・ロツド製造機に入るトウは符号１８を以て示されている。」（４欄４０行〜５欄７行）
　「トング１５は、通常、部分円錐形にされておりそして下折曲要素１２とベース板１１とによつて画成される概ねＶ字形の溝と共同してその横断面積がその入口端からその出口端へ次第に小さくなる通路を形成している。トウ１８は巻紙ウエブ１６とトウ１８との間の摩擦によつてトング１５を通つて運搬される。巻紙ウエブ１６は装備テープ１３との摩擦によつて運搬される。」（５欄８〜１５行）
（６）甲第６号証：特公平２−４０３１１号公報
　甲第６号証（以下「甲６」という。）には、次の事項が記載されている。
　「該巻管部４は、断面形状が半円形状の溝を有するガイド６と、ガイド６の溝内に配置された搬送ベルト７と、ガイド６の上方に順次配置された圧縮成形ガイド８、第１折り曲げガイド９,１０、第２折り曲げガイド１１、ヒータ１２、およびクーラ１３とから構成されている。該搬送ベルト７は、駆動ローラ１４ａと小径の従動ローラ１４ｂとの間に掛けられた無端状のベルトである。なお、図１中１４ｃは、搬送ベルト７に所定の張力を与えるテンシヨンローラである。該圧縮成形ガイド８は、ガイド６の溝と相対する弧状溝を下部に有する舌状のガイドで、成形部材３により成形されたストランドを丸棒状のフイルタ材２′に圧縮成形する。該第１折り曲げガイド９，１０は、ガイド６の溝の両側方に配置されており、後述するフイルタの巻紙供給部１５から巻管部４の搬送ベルト７上に供給される巻紙１６の両端部を第３図に示すように丸棒状のフイルタ材２′の外周にＵ字状に折り曲げる。」（３欄１４〜３２行）
（７）甲第７号証：特開平１１−２２１０６８号公報
　甲第７号証（以下「甲７」という。）には、次の事項が記載されている。
　「【００１２】入口ホッパー１８にはいわゆるガーニチュア装置（成形装置装置）２０が接続されており、このガーニチュア装置はフイルタ用トウのための断面が縮小している案内管路２１（以下に短縮して“フインガ”と称する）を備えており、従ってフイルタ用トウは、これが移送されている間に断面の縮小により連続して聚合されていき、最後にほぼたばこ加工産業におけるフイルタシガレットの製造のために必要なフイルタロッドの断面に成形される。フイルタ用トウは、被覆材料テープ２４（例えば紙テープ）と共に転向ローラ２３を経て案内されているガーニチュアベルト２２により、ガーニチュア装置２０内に引入れられる。このガーニチュア装置内で、縁部が糊付けされている紙テープ２４がフイルタ用トウ連続体の周囲に巻かれ、引続き公知の図示していない方法でフイルタ連続体が形成され、このフイルタ連続体から一本一本のフイルタロッドが切断される。ガーニチュア装置全体のうち、フインガ２１を備えている入口部分のみを図示した。糊室等のようなガーニチュア装置の他の部分は、本発明には関係がないのでここには図示していない。」
（８）甲第８号証：特開昭６３−２９１５６７号公報
　甲第８号証（以下「甲８」という。）には、次の事項が記載されている。
　「第２図は、第１図の装置における変向ロール１１、流入ノズル１２、流入漏斗１３、流入フインガー１４及び型バンド１５を示している。
　・・・空気で運転される流入ノズル１２に送り、そこから流入漏斗１３を経て流入フインガー１４に送り、そこでトウを無端棒状体に集束する。１本の棒状体となつたトウ２を、次いで被包装置１５（型バンド１５）により接着剤を塗布した被包用テープ１６（紙テープ）で包んだのち、図示されない切断装置により個々のシガレツトフイルタ−に切断する。」（４頁右下欄６行〜５頁左上欄７行）
　「本発明は、ＡＦ２と呼ばれる選別装置及びＫＤＦ２と呼ばれる加工装置から成り６００ｍ／分の運転速度を有する第１図に示す装置を改良した装置に関する。」（６頁右上欄７〜１０行）
（９）甲第９号証：特表２００２−５３７７８９号公報
　甲第９号証（以下「甲９」という。）には、次の事項が記載されている。
　「【００２３】
　トウ処理装置２０は大部分が、ドイツ国ハンブルグのＨａｕｎｉ−Ｋｏｒｂｅｒ　ＡＧのＡＦ１−Ｅ装置など、関連技術分野の通常の熟練者が精通している設計である。そのような機械は一般的に、トウ材料の連続撚線を１組の予備引張りローラ２５、１組のねじ付き分塊ローラ２６、可塑剤アプリケータ２８、複数の送り出しローラ２９、および最後に移送スタッファ噴霧３１の前に方向付けるためのフィード・アーム２４を含む。これらは全て協働してトウ処理装置２０の出口にフィラメント状材料２２の連続ストリームを形成する。本発明の好適な実施形態では、トウ処理装置２０の出力は望ましい張力および速度で、好ましくは１組の計量ローラ５３の助けを借りて、粒子装填装置５０に供給される。可塑剤アプリケータによって適用される可塑剤は、フィラメントが相互に交差する位置で繊維をタック（ｔａｃｋ）するために、セルラーアセテートのトウに少量添加される軟化剤であることが好ましい。さらに、移送噴霧３１は、好ましくは図６に関連するこの後の説明に従って、移送噴霧３１の出口でフィラメント状材料２２の連続ストリームに平面のリボン状の形状を確立するように変更される。」
　「【００４３】
  今、図１および図２を参照すると、閉止シュー７００の下流では、ガーニチャ・ベルト３４が閉止された粒子支持フィラメント・ストリーム２２ｃをプラグ・ラップ３２と一緒に引っ張り、好ましくはドイツ国ハンブルグのＨａｕｎｉ−Ｋｏｒｂｅｒ  ＡＧのＫＤＦ２−Ｅ装置を備える連続ロッド形成装置３０のトング８０２を通過する。」
「
　　　」
「
　　　」
（１０）甲第１０号証：米国特許第５３３１９７６号明細書
　甲第１０号証（以下「甲１０」という。）には、「ＫＤＦ−２」（４欄４〜１０行）について、次の事項が記載されている。
　「A strip・・・the garniture tape.」（４欄３５〜４１行）
（訳）
　「ロール２０から供給されるプラグ包装紙１８のストリップが２２で示されるガーニチャーの下部セクションで中央にされる。トウとプラグ包装紙が、ガーニチャー「テープ」と呼ばれる無限ベルト３２によって、ガーニチャーを通して運ばれる。」
　「The fully assembled transport jet 30 and transport jet adapter 50 is illustrated in FIG. 4.」（６欄２６〜２８行）
（訳）
　「完全に組み立てられたトランスポートジェット３０とトランスポートジェットアダプタ５０が、図４に示されている。」
（１１）甲第１１号証：特開平８−２２８７５１号公報
　甲第１１号証（以下「甲１１」という。）には、次の事項が記載されている。
　「【００１０】・・・フィルター製造機のガーニチャー部(garniture) で棒材料の中に液体又は粉末香気物質を注入する代わりに、液体香気物質を内包する破壊性のワックス又はゼラチンカプセルを、各紙巻きタバコ代替器具の棒材料又は吸い口に埋め込むこともできる。フレーバーを放出させたいとき、使用者はこの器具のカプセルが存在する部分を単しつぶしてカプセルを破壊し、香気物質を周りの棒材料の中に放出させる。」
（１２）甲第１２号証：国際公開第２００８／１５４５３９号
　甲第１２号証（以下「甲１２」という。）には、次の事項が記載されている。
　「Some object・・・hollow object.」（３０頁１７〜２２行）
（訳）
　「一部の物体は、香味剤のための基剤またはマトリックスの支持体として作用するポリエチレンビーズなどといった中実の材料であってもよい。一部のきわめて好ましい物体は、ユーザの要求で薬剤を放出することが可能である。たとえば、液体の搭載物を含む好ましい破裂可能な中空物体は、中空物体を破裂させるのに十分な物理的力の意図的な印加を喫煙者が加えるまで搭載物の放出に抵抗できる。」
（１３）甲第１３号証：国際公開第２００７／０３８０５３号
　甲第１３号証には、次の事項が記載されている。
　「［0063］・・・The object also can have・・・in composition.・・・」
（訳）
　「この物体は中空の球の形態を有することもやはりあり得る。代表的な中空の物体は破裂可能なカプセルなどの液体含有物体であり、これらは極めて球状であり、サイズと重量で一様であり、自動化されたフィルタ作製器具を使用して物体が効率的かつ効果的に処理されることを可能にする表面特性を有し、組成で極めて一様である。・・・」
４　対比・判断
（１）本件発明１
（１−１）特許法２９条１項３号及び同法２９条２項について
　ア　甲３発明との対比
　本件発明１と甲３発明とを対比する。
　甲３発明の「紙巻タバコのフィルターとして用いられる」は、その作用、構造又は技術的意義からみて本件発明１の「喫煙品の製造に使用するための」に相当し、以下同様に、「マルチ・フィルターの製造装置」は「フィルターロッド製造機」に、「仕上げ装置５２」は「ガーニチャー」に、「車輪４６」は「回転自在の対象物移送部材」に、「切断装置５８」は「カッター」に、「フィルター物質２２」は「フィルタープラグ材」に、「紙製の被覆３６」は「フィルター包装材」に、「ベルト４０」は「ガーニチャーテープ」に、「フィルター棒１２」は「長尺のフィルターロッド」に、「添加物１８」は「対象物」に、「フィルター棒１２の一単位」は「フィルターロッドセグメント」に、それぞれ相当する。
　また、甲３発明の「部材Ａ」と本件発明１の「舌部」とは、「部材」であることで技術が共通するものであるから、両者は「部材」という限りにおいて相当する。
　以上の相当関係を整理すると、本件発明１と甲３発明との一致点、及び相違点は、次のとおりである。
（一致点）
　「喫煙品の製造に使用するためのフィルターロッド製造機であって、この製造機は、ガーニチャーと、回転自在の対象物移送部材と、カッターとを含み、
　ガーニチャーは、フィルタープラグ材およびフィルター包装材を受け、包装された長尺のフィルターロッドを形成するように構成されており、
　さらに部材は、その内部に、フィルタープラグ材、フィルター包装材、およびガーニチャーテープが、それぞれ、フィルタープラグ材がフィルター包装材の上に接触して位置し、また、フィルター包装材がガーニチャーテープの上に接触して位置するように引き込まれるように構成されており、
　カッターは、長尺のフィルターロッドを切断し、中に１つ以上の対象物を有するフィルターロッドセグメントを形成するように構成されている、製造機。」
（相違点）
　（ア）相違点１
　本件発明１は、「舌部」が「ガーニチャー」に含まれるものであるのに対し、甲３発明は、「内側屈曲部を上部に有する一対の壁とその下流側の上部に設けられたカバーとを有する部材Ａ」は「仕上げ装置５２の上方に位置」して「仕上げ装置５２」に備えられるものであり、「仕上げ装置５２」に含まれるものであるか否か不明である点。
　（イ）相違点２
　本件発明１は、「舌部は、前記フィルタープラグ材が該舌部内を通過する際に該フィルタープラグ材を圧縮するように構成されており、
　前記回転自在の対象物移送部材は、対象物を該回転自在の対象物移送部材から前記舌部内に直接搬送して、その対象物が、前記舌部内を通過しているフィルタープラグ材内に挿入されるように配されており、
　前記舌部において、該舌部内を通過している前記フィルタープラグ材に轍のような溝を開口するように構成されたプラフをさらに含み、対象物が前記溝に挿入され」るものであるのに対し、
　甲３発明は、「部材Ａは、フィルター物質２２が部材Ａを構成する一対の壁内を、側方及び上方にて接触するとともに、その下流側の上部に設けられたカバーに接触して通過するように構成されており、
　トランペット３２のリブは拡げられたフィルター物質２２をＵ字形にし、車輪４６は、添加物１８の入ったポケット４４が一番下に来て、Ｕ字形にされたフィルター物質２２に重力により添加物１８を添加し、添加物１８を添加する際に車輪４６の縁部は部材Ａの中に入り、縁部はフィルター物質２２に接触」するものである点。
　イ　検討
　（ア）特許法２９条１項３号について
　本件発明１は、甲３発明と相違するから、本件発明１は、甲３に記載された発明とはいえない。
　（イ）特許法２９条２項について
　事案に鑑み、最初に相違点２について検討する。
・相違点２について
　甲３発明は、「部材Ａ」よりも上流側に位置するトランペット３２のリブにより、拡げられたフィルター物質２２をＵ字形にするものであるから、「部材Ａ」内において、Ｕ字形とすることの記載ないし示唆はない。
　また、「部材Ａ」は「フィルター物質２２が部材Ａを構成する一対の壁内を、側方及び上方にて接触するとともに、その下流側の上部に設けられたカバーに接触して通過するように構成」するものの「部材Ａ」が積極的にフィルター物質２２を圧縮させるものであるかについての記載ないし示唆はない。
　そうすると、仮に「部材Ａ」の上流に配置されているトランペット３２のリブを、下流側の「部材Ａ」に移設しようとしても、甲３発明の「車輪４６は、添加物１８の入ったポケット４４が一番下に来て、Ｕ字形にされたフィルター物質２２に重力により添加物１８を添加し、添加物１８を添加する際に車輪４６の縁部は部材Ａの中に入り、縁部はフィルター物質２２に接触」することは、「仕上げ装置５２」、「車輪４６の縁部」及び「部材Ａを構成する一対の壁」が近接配置になることを意味しており、この各部材の近接配置箇所における「部材Ａ」において、フィルター物質２２を圧縮するための手段、例えば「部材Ａ」の内径を縮小するなどの構成の変更を採用することに加え、さらにこの変更された「部材Ａ」の内部空間にトランペット３２のリブなる手段を採用しようとすることは、動機付けがないことに加え、その適用に阻害事由が生じているといえる。
　また、甲１及び甲２には、本件発明１の特に「フィルタープラグ材に轍のような溝を開口する」ための積極的な手段についての記載ないし示唆はない。
　そして、甲５ないし甲７には、フィルタープラグ材、フィルター包装材、及びガーニチャーテープを、舌部の内部に引き込むようにすることが開示され、甲８ないし甲１０には、フィルタトウを舌部に押し込むための押し込み噴射部が開示され、甲１１及び甲１２には、流体含有カプセルをフィルターロッドに挿入することが開示されているが、いずれにも、相違点２に係る本件発明１の構成は開示されていない。
　以上から、本件発明１は、甲３発明、甲１記載事項、甲２記載事項及び甲５ないし甲１２記載事項に基づき当業者が容易に発明をすることができたものではない。
　ウ　甲１に記載された発明及び甲２に記載された発明との対比及び判断
　本件発明１と甲１に記載された発明（以下「甲１発明」ともいう。）又は甲２に記載された発明（以下「甲２発明」ともいう。）とを対比すると、少なくとも上記アに示した相違点２で相違する。
　そして、相違点２についての判断は上記イのとおりである。
　したがって、本件発明１は、甲１発明若しくは甲２発明、甲３記載事項及び甲５ないし甲１２記載事項に基づき当業者が容易に発明をすることができたものではない。
（１−２）特許法２９条の２について
　ア　対比
　本件発明１と甲４発明とを対比する。
　甲４発明の「喫煙物品の製造に使用するためのＫＧＫＤＦ２−ＡＦ２ユニットのような市販のフィルタ製造機械を用いて実施されるフィルタロッド製造装置」は、その作用、構造又は技術的意義からみて本件発明１の「喫煙品の製造に使用するためのフィルターロッド製造機」に相当し、以下同様に、「回転可能ホイール２２」は「回転自在の対象物移送部材」に、「切断部」は「カッター」に、「フィルター材料」は「フィルタープラグ材」に、「案内錐体１７及び舌状体１５」は「舌部」に、「ビーズ」は「対象物」に、「切断部は、単一のフィルタ要素に切断して、中にビーズを有するフィルタロッドを製造する」は「前記カッターは、前記長尺のフィルターロッドを切断し、中に１つ以上の対象物を有するフィルターロッドセグメントを形成するように構成されている」に、それぞれ相当する。
　また、甲４発明の「回転可能のホイール２２は、案内錐体１７の開口部１７０を通って該案内錐体１７内に貫通し、ホイールの中心部の高さは、ビーズ又はカプセルが最適位置でフィルタ材料内に挿入されるように配置されており、ホイールは案内錐体１７を通って案内されたフィルタ材料内にビーズを導入し」は、案内錐体１７内へのビーズの直接の搬送といえる態様であるから本件発明１の「回転自在の対象物移送部材は、対象物を該回転自在の対象物移送部材から前記舌部内に直接搬送して、その対象物が、前記舌部内を通過しているフィルタープラグ材内に挿入されるように配されており」に相当する。
　以上の相当関係を整理すると、本件発明１と甲４発明との一致点、及び相違点は、次のとおりである。
（一致点）
　「喫煙品の製造に使用するためのフィルターロッド製造機であって、この製造機は、回転自在の対象物移送部材と、カッターとを含み、
　舌部は、フィルタープラグ材が該舌部内を通過する際に該フィルタープラグ材を圧縮するように構成されており、
　回転自在の対象物移送部材は、対象物を該回転自在の対象物移送部材から舌部内に直接搬送して、その対象物が、舌部内を通過しているフィルタープラグ材内に挿入されるように配されており、
　カッターは、長尺のフィルターロッドを切断し、中に１つ以上の対象物を有するフィルターロッドセグメントを形成するように構成されている、製造機。」
（相違点）
　（ア）相違点１
　本件発明１は、「舌部を含むガーニチャー」であり、「前記ガーニチャーは、フィルタープラグ材およびフィルター包装材を受け、包装された長尺のフィルターロッドを形成するように構成されており、
　さらに前記ガーニチャーに含まれる前記舌部は、その内部に、前記フィルタープラグ材、前記フィルター包装材、およびガーニチャーテープが、それぞれ、前記フィルタープラグ材が前記フィルター包装材の上に接触して位置し、また、前記フィルター包装材が前記ガーニチャーテープの上に接触して位置するように引き込まれるように構成されて」いるのに対し、
　甲４発明は「ＫＧＫＤＦ２−ＡＦ２ユニットのような市販のフィルタ製造機械を用いて実施されるフィルタロッド製造装置」であり、案内錐体１７及び舌状体１５を取り付ける台と、回転可能ホイール２２と、切断部とを備えるものの、他の構成が不明であることに加え、台に案内錐体１７及び舌状体１５が含まれるものであるか否かについても不明である点。
　（イ）相違点２
　本件発明１は、「舌部において、該舌部内を通過している前記フィルタープラグ材に轍のような溝を開口するように構成されたプラフをさらに含み、対象物が前記溝に挿入され」るものであるのに対し、甲４発明は、これらの構成が不明である点。
　イ　検討
　事案に鑑み、最初に相違点２について検討する。
　甲４発明は、「回転可能のホイール２２は、案内錐体１７の開口部１７０を通って該案内錐体１７内に貫通し、ホイールの中心部の高さは、ビーズが最適位置でフィルタ材料内に挿入されるように配置されており、ホイールは案内錐体１７を通って案内されたフィルタ材料内にビーズを導入」するものであるが、案内中のフィルタ材料に轍のような溝を開口して、該溝にビーズを挿入することについての記載ないし示唆はないといえる。
　甲４には、「【００３６】…一例として、３．５ｍｍの直径を有するビーズの場合、案内錐体１７の内径は、７ｍｍから２１ｍｍの範囲とし、ビーズがフィルタ材料内に挿入される位置では特に１３ｍｍとすることができる。ビーズは、案内錐体の底面から測定された高さで約５．５ｍｍの位置に挿入することができる。」と記載されているが、これらの寸法関係からは、案内錐体１７とビーズとの配置関係は推測できるものの、案内錐体内を案内されるフィルタ材料が轍のような溝を開口しているかについては不明である。
　他方、本件発明１は、舌部内を通過しているフィルタープラグ材に轍のような溝を開口するように構成された「プラフ」という部材を用いることが特定されており、このような部材についても、甲４には記載ないし示唆はない。
　したがって、本件発明１は甲４発明と同一ではない。
（２）本件発明２、５及び１０
　ア　特許法２９条１項３号について
　本件発明２は、本件発明１を更に減縮したものであり、本件発明１の発明特定事項を全て含むところ、上記のとおり本件発明１は、甲３に記載された発明とはいえないから、同様の理由により、本件発明２も甲３に記載された発明とはいえない。
　イ　特許法２９条２項について
　本件発明２、５及び１０は、本件発明１を更に減縮したものであり、本件発明１の発明特定事項を全て含むところ、上記のとおり本件発明１は、甲１発明ないし甲３発明、甲１ないし甲３記載事項及び甲５ないし甲１２記載事項に基づき当業者が容易に発明をすることができたものではないから、同様の理由により、本件発明２、５及び１０も甲１発明ないし甲３発明、甲１ないし甲３記載事項及び甲５ないし甲１２記載事項に基づき当業者が容易に発明をすることができたものではない。
　ウ　特許法２９条の２について
　本件発明２、５及び１０は、本件発明１を更に減縮したものであり、本件発明１の発明特定事項を全て含むところ、上記のとおり本件発明１は、甲４発明と同一ではないから、同様の理由により、本件発明２、５及び１０も甲４発明と同一ではない。
（３）本件発明１１
（３−１）特許法２９条１項３号及び同法２９条２項について
　ア　甲３方法発明との対比
　本件発明１１と甲３方法発明とを対比する。
　甲３方法発明の「紙巻タバコのフィルターとして用いられる」は、その作用、構造又は技術的意義からみて本件発明１１の「喫煙品の製造に使用するための」に相当し、以下同様に、「マルチ・フィルターの製造方法」は「フィルターロッド製造方法」に、「仕上げ装置５２」は「ガーニチャー」に、「フィルター物質２２」は「フィルタープラグ材」に、「紙製の被覆３６」は「フィルター包装材」に、「ベルト４０」は「ガーニチャーテープ」に、「被覆３６に縁周部を包まれたフィルター物質２２からなるフィルター棒１２」は「包装された長尺のフィルターロッド」に、「フィルター棒１２を切断された一単位ごとに１つ以上の添加物１８が入るように切断する工程」は「この長尺のフィルターロッドをフィルターロッドセグメントに切断し、各セグメントがその中に１つ以上の対象物を有するようにする工程］に、それぞれ相当する。
　また、甲３発明の「部材Ａ」と本件発明１１の「舌部」とは、「部材」であることで技術が共通するものであるから、両者は「部材」という限りにおいて相当する。
　以上の相当関係を整理すると、本件発明１１と甲３方法発明との一致点、及び相違点は、次のとおりである。
（一致点）
　「喫煙品の製造に使用するためのフィルターロッドの製造方法であって、該方法は、
　フィルターロッド製造機のガーニチャーがフィルタープラグ材およびフィルター包装材を受ける工程と、
　ガーニチャーに含まれる部材内に、フィルタープラグ材、フィルター包装材、およびガーニチャーテープを、それぞれ、フィルタープラグ材がフィルター包装材の上に接触して位置し、また、フィルター包装材がガーニチャーテープの上に接触して位置するように引き込む工程と、
　ガーニチャーにおいて、包装された長尺のフィルターロッドを形成する工程と、
　この長尺のフィルターロッドをフィルターロッドセグメントに切断し、各セグメントがその中に１つ以上の対象物を有するようにする工程とを含む方法。」
（相違点）
　（ア）相違点１
　本件発明１１は、「舌部」が「ガーニチャー」に含まれるものであるのに対し、甲３方法発明は、「仕上げ装置５２の上方に位置」する「部材Ａ」であり、「仕上げ装置５２」に含まれるものであるか否か不明である点。
　（イ）相違点２
　本件発明１１は、「フィルタープラグ材が前記舌部内を通過する際に該フィルタープラグ材を圧縮する工程と、
　対象物を回転自在の対象物移送部材から前記舌部内に直接搬送し、前記対象物を、前記舌部内を通過しているフィルタープラグ材内に挿入する工程と、
　前記舌部内を通過している前記フィルタープラグ材に轍のような溝を開口し、前記対象物を前記溝に挿入する工程と、
　前記溝内に前記回転自在の対象物移送部材からの対象物を案内する工程」を含むものであるのに対し、
　甲３方法発明は、「フィルター物質２２が部材Ａを構成する一対の壁内に側方及び上方にて接触するとともに、その下流側の上部に設けられたカバーに接触して通過する工程と、
トランペット３２のリブは拡げられたフィルター物質２２をＵ字形にし、車輪４６は、添加物１８の入ったポケット４４が一番下に来て、Ｕ字形にされたフィルター物質２２に重力により添加物１８を添加し、添加物１８を添加する際に車輪４６の縁部は部材Ａの中に入り、縁部はフィルター物質２２に接触する工程」を含むものである点。
　イ　検討
　（ア）特許法２９条１項３号について
　上記のとおり、本件発明１１は、甲３方法発明と相違するから、本件発明１１は、甲３に記載された発明とはいえない。
　（イ）特許法２９条２項について
　事案に鑑み、最初に相違点２について検討する。
・相違点２について
　甲３方法発明は、「部材Ａ」よりも上流側に位置するトランペット３２のリブにより、拡げられたフィルター物質２２をＵ字形にするものであるから、「部材Ａ」内において、Ｕ字形とすることの記載ないし示唆はない。
　また、「部材Ａ」は「フィルター物質２２が部材Ａを構成する一対の壁内を、側方及び上方にて接触するとともに、その下流側の上部に設けられたカバーに接触して通過するように構成」するものの「部材Ａ」が積極的にフィルター物質２２を圧縮させるものであるかについての記載ないし示唆はない。
　そうすると、仮に「部材Ａ」の上流に配置されているトランペット３２のリブを、下流側の「部材Ａ」に移設しようとしても、甲３方法発明の「車輪４６は、添加物１８の入ったポケット４４が一番下に来て、Ｕ字形にされたフィルター物質２２に重力により添加物１８を添加し、添加物１８を添加する際に車輪４６の縁部は部材Ａの中に入り、縁部はフィルター物質２２に接触」することは、「仕上げ装置５２」、「車輪４６の縁部」及び「部材Ａを構成する一対の壁」が近接配置になることを意味しており、この各部材の近接配置箇所における「部材Ａ」において、フィルター物質２２を圧縮するための手段、例えば「部材Ａ」の内径を縮小するなどの構成の変更を採用することに加え、さらにこの変更された「部材Ａ」の内部空間にトランペット３２のリブなる手段を採用しようとすることは、動機付けがないことに加え、その適用に阻害事由が生じているといえる。
　また、甲１及び甲２には、本件発明１１の特に「フィルタープラグ材に轍のような溝を開口する」ための積極的な手段についての記載ないし示唆はない。
　そして、甲５ないし甲７には、フィルタープラグ材、フィルター包装材、及びガーニチャーテープを、舌部の内部に引き込むようにすることが開示され、甲８ないし甲１０には、フィルタトウを舌部に押し込むための押し込み噴射部が開示され、甲１１及び甲１２には、流体含有カプセルをフィルターロッドに挿入することが開示されているが、いずれにも、相違点２に係る本件発明１１の構成は開示されていない。
　以上から、本件発明１１は、甲３発明、甲１記載事項、甲２記載事項及び甲５ないし甲１２記載事項に基づき当業者が容易に発明をすることができたものではない。
　ウ　甲１に記載された発明及び甲２に記載された発明との対比及び判断
　本件発明１１と甲１に記載された発明又は甲２に記載された発明とを対比すると、少なくとも上記アに示した相違点２で相違する。
　そして、相違点２についての判断は上記イのとおりである。
　したがって、本件発明１１は、甲１発明若しくは甲２発明、甲３記載事項及び甲５ないし甲１２記載事項に基づき当業者が容易に発明をすることができたものではない。
（３−２）特許法２９条の２について
　ア　対比
　本件発明１１と甲４方法発明とを対比する。
　甲４方法発明の「喫煙物品の製造に使用するためのＫＧＫＤＦ２−ＡＦ２ユニットのような市販のフィルタ製造機械を用いて実施されるフィルタロッド製造方法」は、その作用、構造又は技術的意義からみて本件発明１１の「喫煙品の製造に使用するためのフィルターロッド製造方法」に相当し、以下同様に、「フィルタ材料」は「フィルタープラグ材」に、「回転可能ホイール２２」は「回転自在の対象物移送部材」に、「切断部」は「カッター」に、「フィルター材料」は「フィルタープラグ材」に、「案内錐体１７及び舌状体１５」は「舌部」に、「ビーズ」は「対象物」に、「切断部は、単一のフィルタ要素に切断して、中にビーズを有するフィルタロッドを製造する工程」は「この長尺のフィルターロッドをフィルターロッドセグメントに切断し、各セグメントがその中に１つ以上の対象物を有するようにする工程］に、それぞれ相当する。
　また、甲４方法発明の「回転可能ホイール２２は、案内錐体１７の開口部１７０を通って該案内錐体１７内に貫通し、ホイールの中心部の高さは、ビーズ又はカプセルが最適位置でフィルタ材料内に挿入されるように配置されており、ホイール２２は案内錐体１７を通って案内されたフィルタ材料内にビーズを導入する工程」は、案内錐体１７内へのビーズの直接の搬送といえる態様であるから本件発明１１の「対象物を回転自在の対象物移送部材から前記舌部内に直接搬送し、前記対象物を、前記舌部内を通過しているフィルタープラグ材内に挿入する工程」に相当する。
　以上の相当関係を整理すると、本件発明１１と甲４方法発明との一致点、及び相違点は、次のとおりである。
（一致点）
　「喫煙品の製造に使用するためのフィルターロッドの製造方法であって、該方法は、
　フィルタープラグ材が舌部内を通過する際に該フィルタープラグ材を圧縮する工程と、
　対象物を回転自在の対象物移送部材から前記舌部内に直接搬送し、前記対象物を、前記舌部内を通過しているフィルタープラグ材内に挿入する工程と、
　この長尺のフィルターロッドをフィルターロッドセグメントに切断し、各セグメントがその中に１つ以上の対象物を有するようにする工程とを含む方法。」
（相違点）
　（ア）相違点１
　本件発明１１は、「フィルターロッド製造機のガーニチャーがフィルタープラグ材およびフィルター包装材を受ける工程と、
　前記ガーニチャーに含まれる舌部内に、前記フィルタープラグ材、前記フィルター包装材、およびガーニチャーテープを、それぞれ、前記フィルタープラグ材が前記フィルター包装材の上に接触して位置し、また、前記フィルター包装材がガーニチャーテープの上に接触して位置するように引き込む工程」と、「ガーニチャーにおいて、包装された長尺のフィルターロッドを形成する工程」とを備えるものであるのに対し、
　甲４方法発明は「ＫＧＫＤＦ２−ＡＦ２ユニットのような市販のフィルタ製造機械を用いて実施されるフィルタロッド製造方法」であり、案内錐体１７及び舌状体１５を取り付ける台と、回転可能ホイール２２と、切断部とを備えるものの、他の構成が不明であることに加え、台に案内錐体１７及び舌状体１５が含まれるものであるか否かについても不明である点。
　（イ）相違点２
　本件発明１１は、「舌部内を通過している前記フィルタープラグ材に轍のような溝を開口し、前記対象物を前記溝に挿入する工程と、
　前記溝内に前記回転自在の対象物移送部材からの対象物を案内する工程」とを備えるものであるのに対し、甲４方法発明は、「ホイールのポケットからビーズを放出し、かつフィルタ材料内の望ましい位置までビーズを案内する工程」を備えるものの、溝への案内を含め他の構成が不明である点。
　イ　検討
　事案に鑑み、最初に相違点２について検討する。
　甲４方法発明は、「回転可能ホイール２２は、案内錐体１７の開口部１７０を通って該案内錐体１７内に貫通し、ホイールの中心部の高さは、ビーズが最適位置でフィルタ材料内に挿入されるように配置されており、ホイール２２は案内錐体１７を通って案内されたフィルタ材料内にビーズを導入する」ものであるが、案内中のフィルタ材料に轍のような溝を開口して、該溝にビーズを挿入することについての記載ないし示唆はないといえる。
　甲４には、「【００３６】…一例として、３．５ｍｍの直径を有するビーズの場合、案内錐体１７の内径は、７ｍｍから２１ｍｍの範囲とし、ビーズがフィルタ材料内に挿入される位置では特に１３ｍｍとすることができる。ビーズは、案内錐体の底面から測定された高さで約５．５ｍｍの位置に挿入することができる。」と記載されているが、これらの寸法関係からは、案内錐体１７とビーズとの配置関係は推測できるものの、案内錐体内を案内されるフィルタ材料が轍のような溝を開口しているかについては不明である。
　したがって、本件発明１１は甲４方法発明と同一ではない。
第４　取消理由通知において採用しなかった特許異議申立理由について
１　サポート要件違反１（訂正前の請求項１、２、５及び１０ないし１３）
　特許異議申立人飯田進（以下「申立人」ともいう。）は、特許異議申立書において、本件明細書には、（ア）下方胴体１３（第１胴体部）に設けられた固定された舌部セクション２９（第１舌部部分）と、上方胴体１２（第２胴体部）に設けられた舌部入口１６（第２舌部部分）とを備えること、及び、（イ）カプセル（対象物）が、舌部入口１６にホイール６（回転自在の対象物移送部材）により搬送されて、舌部入口１６の隙間２７を通過してトウ（フィルタープラグ材）に挿入されること、の実施例しか記載されておらず、舌部について、これ以外の実施例の記載はないから、上記（ア）及び（イ）の特定を欠く本件発明の範囲まで、発明の詳細な説明に開示された内容を拡張ないし一般化できるとはいえないから、本件発明は、発明の詳細な説明に記載されたものでない旨の主張をしている。
　しかしながら、本件発明の課題は、「【０００４】本発明は、フィルター製造時にフィルターロッド材に対象物を挿入するための別の方法を提供する。」ことであり、訂正前の請求項１及び１１に係る発明における「舌部」を用いた特定であっても上記課題を解決できるものであることは明らかであるから、上記（ア）に係る「舌部セクション２９」及び「舌部入口１６」、並びに上記（イ）に係る「舌部入口１６」の細部構成等の特定がないことをもって、本件発明が発明の詳細な説明に記載されてないとはいえない。
　したがって、申立人の上記主張は採用することができない。
２　サポート要件違反２及び明確性要件違反１（訂正前の請求項１、２、５及び１０ないし１３）
　申立人は、特許異議申立書において、舌部がガーニチャー入り口チャネルの床に沿って走行するガーニチャーテープを覆うように、舌部の内部に、フィルタープラグ材、フィルター包装材、及びガーニチャーテープが、それぞれ、フィルタープラグ材がフィルター包装材の上に接触して位置し、また、フィルター包装材がガーニチャーテープの上に接触して位置するように引き込まれることの特定のない本発明１は、明確性要件違反であり、また、上記特定のない本発明１の範囲まで、発明の詳細な説明に開示された内容を拡張ないし一般化できるとはいえないから、本発明１は、発明の詳細な説明に記載されたものでなく、サポート要件違反である旨の主張をしている。
　しかしながら、本件発明の課題は、「【０００４】本発明は、フィルター製造時にフィルターロッド材に対象物を挿入するための別の方法を提供する。」ことであり、請求項１及び１１に係る発明が、「舌部がガーニチャー入り口チャネルの床に沿って走行するガーニチャーテープを覆うように」という事項の限定のない構成であっても上記課題を解決できるものであることは明らかであるし、当該構成は明確であるといえる。
　したがって、申立人の上記主張は採用することができない。
３　サポート要件違反３及び明確性要件違反２（訂正前の請求項１３）
　申立人は、請求項１３に係る発明が対象物をフィルタープラグ材の移動方向に対して実質的に平行な方向に案内するための、例えば、請求項４で特定している「案内部」といった手段を欠いており明確でない旨、並びに、本件明細書及び図面には、この案内する工程について、段落００４１及び図１１Ａに、カプセル案内部４４（a）が記載されているに過ぎず、この案内部の特定を欠く請求項１３に係る発明の範囲まで、発明の詳細な説明に開示された内容を拡張ないし一般化できるとはいえないから、請求項１３は、発明の詳細な説明に記載されたものではない旨の主張をしている。
　しかしながら、本件発明の課題は、「【０００４】本発明は、フィルター製造時にフィルターロッド材に対象物を挿入するための別の方法を提供する。」ことであり、案内部といった手段を欠いていても上記課題を解決できるものであることは明らかであるし、当該構成は明確であるといえる。
　したがって、申立人の上記主張は採用することができない。
第５　むすび
　以上のとおりであるから、平成３０年１月１６日付け取消理由通知に記載した取消理由及び特許異議申立書に記載した特許異議申立理由によっては、本件請求項１、２、５、１０、１１及び１３に係る特許を取り消すことはできない。
　また、他に本件請求項１、２、５、１０、１１及び１３に係る特許を取り消すべき理由を発見しない。
　そして、本件請求項１２に係る特許は、本件訂正により削除されたため、本件特許の請求項１２に対して特許異議申立人がした特許異議の申立てについては、対象となる請求項が存在しない。
　よって、結論のとおり決定する。
【異議決定日】
平成３０年１０月２日（２０１８．１０．２）
【訂正の要旨】
審決（決定）の【理由】欄参照。
（５７）【特許請求の範囲】
　【請求項１】
　喫煙品の製造に使用するためのフィルターロッド製造機であって、この製造機は、舌部を含むガーニチャーと、回転自在の対象物移送部材と、カッターとを含み、
　前記ガーニチャーは、フィルタープラグ材およびフィルター包装材を受け、包装された長尺のフィルターロッドを形成するように構成されており、
　さらに前記ガーニチャーに含まれる前記舌部は、その内部に、前記フィルタープラグ材、前記フィルター包装材、およびガーニチャーテープが、それぞれ、前記フィルタープラグ材が前記フィルター包装材の上に接触して位置し、また、前記フィルター包装材が前記ガーニチャーテープの上に接触して位置するように引き込まれるように構成されており、さらに前記舌部は、前記フィルタープラグ材が該舌部内を通過する際に該フィルタープラグ材を圧縮するように構成されており、
　前記回転自在の対象物移送部材は、対象物を該回転自在の対象物移送部材から前記舌部内に直接搬送して、その対象物が、前記舌部内を通過しているフィルタープラグ材内に挿入されるように配されており、
　
前記舌部において、該舌部内を通過している前記フィルタープラグ材に轍のような溝を開口するように構成されたプラフをさらに含み、対象物が前記溝に挿入され、
　前記カッターは、前記長尺のフィルターロッドを切断し、中に１つ以上の対象物を有するフィルターロッドセグメントを形成するように構成されている、製造機。
　【請求項２】
　前記回転自在の対象物移送部材が、前記舌部内に入り込んで、各対象物が前記舌部の内側の出口ポイントで移送部材から出るようにすることを特徴とする請求項１記載の装置。
　【請求項３】
（削除）
　【請求項４】
　前記プラフが前記溝内に前記回転自在の対象物移送部材からの対象物を案内するように配された案内部を含み、前記案内部が前記舌部内を通過している前記フィルタープラグ材の移動方向に対して実質的に平行な方向に前記溝内に対象物を案内するように構成されていることを特徴とする請求項
１または２
　【請求項５】
　前記フィルタープラグ材が前記ガーニチャーに入る前に前記フィルタープラグ材を圧縮するように構成された押し込み噴射部をさらに含むことを特徴とする請求項１
若しくは
または
　【請求項６】
　前記舌部が第１舌部部分と第２舌部部分を有し、
　前記第１舌部部分を有する第１胴体部と、
　前記対象物移送部材と前記第２舌部部分とを有する第２胴体部と、
　前記第１胴体部と前記第２胴体部の相対位置が、前記第１舌部部分と前記第２舌部部分が離れて前記舌部の内部に清掃およびフィルタープラグ材を通すために触れることができる第１の位置と、前記第１舌部部分および第２舌部部分が位置合わせされ、フィルタープラグ材が交互に通過できるようにする第２の位置との間で調節できるように配されたヒンジとを有する請求項１
若しくは２または４若しくは
　【請求項７】
　前記第２胴体部が上方胴体部であり、前記第１胴体部が下方胴体部であり、前記上方胴体部が前記第２の位置にある前記下方胴体部上に位置することを特徴とする請求項６記載の製造機。
　【請求項８】
　前記上方胴体部を前記下方胴体部に対して選択的に昇降させるように構成された位置決め機構をさらに含み、これにより前記第１および第２の位置間で前記上方胴体部と前記下方胴体部の相対位置を調節することを特徴とする請求項７記載の製造機。
　【請求項９】
　喫煙品の製造に使用するためのフィルターロッド製造機であって、この製造機は、舌部を含むガーニチャーと、回転自在の対象物移送部材と、カッターとを含み、
　前記ガーニチャーは、フィルタープラグ材およびフィルター包装材を受け、包装された長尺のフィルターロッドを形成するように構成されており、
　さらに前記ガーニチャーに含まれる前記舌部は、第１舌部部分および第２舌部部分を有し、
　前記回転自在の対象物移送部材は、対象物貯蔵部から対象物を受け、この対象物を前記回転自在の対象物移送部材から前記舌部内に直接搬送して、この対象物が、前記舌部内を通過している前記フィルタープラグ材内に挿入されるように配されており、
　前記カッターは、前記長尺のフィルターロッドを切断し、中に１つ以上の対象物を有するフィルターロッドセグメントを形成するように構成されており、
　さらに前記製造機は、第１胴体部と、第２胴体部と、ヒンジとを含み、
　前記第１胴体部は、前記第１舌部部分を有し、
　前記第２胴体部は、前記対象物移送部材と前記第２舌部部分とを有し、
　前記ヒンジは、前記第１胴体部と前記第２胴体部の相対位置が、前記第１舌部部分と前記第２舌部部分が離れて前記舌部の内部に清掃およびフィルタープラグ材を通すために触れることができる第１の位置と、前記第１舌部部分および第２舌部部分が位置合わせされ、フィルタープラグ材が交互に通過できるようにする第２の位置との間で調節できるように配されている、製造機。
　【請求項１０】
　前記対象物が脆弱な流体含有カプセルであることを特徴とする請求項１
若しくは２または４
　【請求項１１】
　喫煙品の製造に使用するためのフィルターロッドの製造方法であって、該方法は、
　フィルターロッド製造機のガーニチャーがフィルタープラグ材およびフィルター包装材を受ける工程と、
　前記ガーニチャーに含まれる舌部内に、前記フィルタープラグ材、前記フィルター包装材、およびガーニチャーテープを、それぞれ、前記フィルタープラグ材が前記フィルター包装材の上に接触して位置し、また、前記フィルター包装材がガーニチャーテープの上に接触して位置するように引き込む工程と、
　前記フィルタープラグ材が前記舌部内を通過する際に該フィルタープラグ材を圧縮する工程と、
　対象物を回転自在の対象物移送部材から前記舌部内に直接搬送し、前記対象物を、前記舌部内を通過しているフィルタープラグ材内に挿入する工程と、
　
前記舌部内を通過している前記フィルタープラグ材に轍のような溝を開口し、前記対象物を前記溝に挿入する工程と、
　
前記溝内に前記回転自在の対象物移送部材からの対象物を案内する工程と、
　前記ガーニチャーにおいて、包装された長尺のフィルターロッドを形成する工程と、
　この長尺のフィルターロッドをフィルターロッドセグメントに切断し、各セグメントがその中に１つ以上の対象物を有するようにする工程とを含む方法。
　【請求項１２】
（削除）
　【請求項１３】
　
前
１１